(57)【要約】【課題】  車室内の臭い（特に、タバコの臭い）を軽減できる車両用シガーライタを得る。【解決手段】  車両用シガーライタ１０では、ライタ本体１２の本体部１６の表面、グリップ部２２の表面、及びソケットケース１４の表面には、消臭塗料によるコーディングが施されている。これにより、車室内を消臭することができ、車室内の臭い（特に、本車両用シガーライタ１０を発生源とするタバコの臭い）を軽減できる。しかも、消臭塗料によりコーティングを施す構成であるため、ライタ本体１２及びソケットケース１４の形状に影響されず製造が容易である。【選択図】  図１
2006349245.tif 000002
【特許請求の範囲】
【請求項１】
内側に電熱ヒータを収容する本体部及び前記本体部に設けられたグリップ部を有するライタ本体と、前記ライタ本体を挿脱可能に保持するソケットケースと、を備えた車両用シガーライタにおいて、
前記ライタ本体及び前記ソケットケースの前記電熱ヒータ以外の箇所に消臭処理を施した、
ことを特徴とする車両用シガーライタ。
【請求項２】
前記消臭処理は、前記電熱ヒータ以外の箇所に消臭塗料を塗布することで施される、ことを特徴とする請求項１記載の車両用シガーライタ。
【請求項３】
前記消臭塗料は、前記ライタ本体の前記本体部の表面、前記ライタ本体の前記グリップ部の表面、前記ライタ本体の前記電熱ヒータ収容部の内面、及び前記ソケットケースの表面のうち少なくとも一箇所に塗布される、ことを特徴とする請求項２記載の車両用シガーライタ。
【請求項４】
前記消臭処理は、前記電熱ヒータ以外の箇所に消臭材料によって形成された消臭部材を取り付けることで施される、ことを特徴とする請求項１記載の車両用シガーライタ。
【請求項５】
前記消臭部材は、前記ライタ本体の前記本体部の表面、前記ライタ本体の前記グリップ部の表面、前記ライタ本体の前記電熱ヒータと前記電熱ヒータ収容部の内面との間、及び前記ソケットケースの表面のうち少なくとも一箇所に取り付けられる、ことを特徴とする請求項４記載の車両用シガーライタ。
【請求項６】
前記消臭処理は、前記電熱ヒータ以外の箇所を消臭材料によって形成することで施される、ことを特徴とする請求項１記載の車両用シガーライタ。
【発明の詳細な説明】
【技術分野】
【０００１】
本発明は、自動車等の車両に用いられる車両用シガーライタに関する。
【背景技術】
【０００２】
車両用シガーライタでは、ライタ本体と、該ライタ本体が挿脱されるソケットケースとを備えている（例えば、特許文献１参照）。このような車両用シガーライタでは、ソケットケースに挿入されたライタ本体のグリップ部を押圧すると、ライタ本体内に収容された電熱ヒータが通電状態に切り替えられて発熱する。これにより、使用者はライタ本体をソケットケースから抜き取って、発熱した電熱ヒータにタバコの先端を押し付けることでタバコに火を付けることができる。
【０００３】
ところで、上述の如き車両用シガーライタでは、タバコに火を付ける際に電熱ヒータにタバコのカスが付着する場合がある。このような場合には、車両用シガーライタを発生源として車室内にタバコの臭いが発生するため、これを軽減できる対策が求められていた。
【特許文献１】特開２００４−３６９９５号公報
【発明の開示】
【発明が解決しようとする課題】
【０００４】
本発明は上記事実を考慮し、車室内の臭い（特に、タバコの臭い）を軽減できる車両用シガーライタを得ることが目的である。
【課題を解決するための手段】
【０００５】
上記課題を解決するために、請求項１に係る発明の車両用シガーライタは、内側に電熱ヒータを収容する本体部及び前記本体部に設けられたグリップ部を有するライタ本体と、前記ライタ本体を挿脱可能に保持するソケットケースと、を備えた車両用シガーライタにおいて、前記ライタ本体及び前記ソケットケースの前記電熱ヒータ以外の箇所に消臭処理を施した、ことを特徴としている。
【０００６】
請求項１記載の車両用シガーライタでは、ライタ本体及びソケットケースの電熱ヒータ以外の箇所に消臭処理が施されている。これにより、車室内を消臭することができ、車室内の臭い（特に、タバコの臭い）を軽減できる。
【０００７】
請求項２に係る発明の車両用シガーライタは、請求項１記載の車両用シガーライタにおいて、前記消臭処理は、前記電熱ヒータ以外の箇所に消臭塗料を塗布することで施される、ことを特徴としている。
【０００８】
請求項２記載の車両用シガーライタでは、ライタ本体及びソケットケースの電熱ヒータ以外の箇所に消臭塗料が塗布されている。これにより、車室内を消臭することができ、車室内の臭い（特に、タバコの臭い）を軽減できる。しかも、消臭塗料を塗布する構成であるため、ライタ本体及びソケットケースの形状に影響されず製造が容易である。なお、消臭塗料としては、電熱ヒータが発する熱により消臭効果が上がるものが好ましい。
【０００９】
請求項３に係る発明の車両用シガーライタは、請求項２記載の車両用シガーライタにおいて、前記消臭塗料は、前記ライタ本体の前記本体部の表面、前記ライタ本体の前記グリップ部の表面、前記ライタ本体の前記電熱ヒータ収容部の内面、及び前記ソケットケースの表面のうち少なくとも一箇所に塗布される、ことを特徴としている。
【００１０】
請求項３記載の車両用シガーライタでは、ライタ本体の本体部の表面、ライタ本体のグリップ部の表面、ライタ本体の電熱ヒータ収容部の内面、及びソケットケースの表面のうち少なくとも一箇所に消臭塗料が塗布されている。これにより、車室内を消臭することができ、車室内の臭い（特に、タバコの臭い）を軽減できる。
【００１１】
請求項４に係る発明の車両用シガーライタは、請求項１記載の車両用シガーライタにおいて、前記消臭処理は、前記電熱ヒータ以外の箇所に消臭材料によって形成された消臭部材を取り付けることで施される、ことを特徴としている。
【００１２】
請求項４記載の車両用シガーライタでは、ライタ本体及びソケットケースの電熱ヒータ以外の箇所に消臭材料によって形成された消臭部材が取り付けられている。これにより、車室内を消臭することができ、車室内の臭い（特に、タバコの臭い）を軽減できる。しかも、ライタ本体及びソケットケースに別体の消臭部材を取り付ける構成であるため、適用の範囲が広く汎用性がある。なお、消臭材料としては、電熱ヒータが発する熱により消臭効果が上がるものが好ましい。
【００１３】
請求項５に係る発明の車両用シガーライタは、請求項４記載の車両用シガーライタにおいて、前記消臭部材は、前記ライタ本体の前記本体部の表面、前記ライタ本体の前記グリップ部の表面、前記ライタ本体の前記電熱ヒータと前記電熱ヒータ収容部の内面との間、及び前記ソケットケースの表面のうち少なくとも一箇所に取り付けられる、ことを特徴としている。
【００１４】
請求項５記載の車両用シガーライタでは、ライタ本体の本体部の表面、ライタ本体のグリップ部の表面、ライタ本体の電熱ヒータと電熱ヒータ収容部の内面との間、及びソケットケースの表面のうち少なくとも一箇所に消臭部材が取り付けられている。これにより、車室内を消臭することができ、車室内の臭い（特に、タバコの臭い）を軽減できる。
【００１５】
請求項６に係る発明の車両用シガーライタは、請求項１記載の車両用シガーライタにおいて、前記消臭処理は、前記電熱ヒータ以外の箇所を消臭材料によって形成することで施される、ことを特徴としている。
【００１６】
請求項６記載の車両用シガーライタでは、ライタ本体及びソケットケースの電熱ヒータ以外の箇所が消臭材料により形成されている。これにより、車室内を消臭することができ、車室内の臭い（特に、タバコの臭い）を軽減できる。しかも、ライタ本体及びソケットケース自体が消臭材料によって形成される構成であるため、製造工程を簡略化できる。なお、消臭材料としては、電熱ヒータが発する熱により消臭効果が上がるものが好ましい。
【発明の効果】
【００１７】
以上説明した如く、本発明の車両用シガーライタでは、車室内の臭い（特に、タバコの臭い）を軽減できる。
【発明を実施するための最良の形態】
【００１８】
＜第１の実施の形態＞
図１には、本発明の第１の実施の形態に係る車両用シガーライタ１０の構成が斜視図にて示されている。
【００１９】
車両用シガーライタ１０は、ライタ本体１２とソケットケース１４により構成されている。図２（Ａ）乃至図２（Ｃ）に示す如く、ライタ本体１２は、円筒状に形成された本体部１６を備えている。本体部１６の先端部（図２（Ｂ）では下側の端部）には、図２（Ｃ）に示すように、本体部１６の先端側へ向けて開口する収容部１８が形成されており、該収容部１８の内側には渦巻状に形成された電熱ヒータ２０が収容されている。
【００２０】
また、本体部１６の基端部（図２（Ｂ）では上側の端部）には、ライタ本体１２を手で把持するためのグリップ部２２（図２（Ａ）参照）が取り付けられている。グリップ部２２は、段付の円柱状に形成されており、小径側が本体部１６の基端部に接続されている。
【００２１】
さらに、本体部１６内には、グリップ部２２及び電熱ヒータ２０を本体部１６の基端側へ付勢する図示しないスプリングが設けられており、このスプリングの付勢力に抗してグリップ部２２を本体部１６側へ押圧操作すると、電熱ヒータ２０が本体部１６の先端部から出没するようになっている。
【００２２】
一方、図１及び図３に示す如く、ソケットケース１４は、一端が開口する有底円筒状に形成されており、図示しない車両の車室内に設けられた図示しないインスツルメントパネルに取り付けられている。このソケットケース１４は、筒内にライタ本体１２（本体部１６）を挿脱可能に保持するようになっている。
【００２３】
ソケットケース１４の基端部には、図示しないバイメタルが設けられており、ライタ本体１２がソケットケース１４に保持された状態でグリップ部２２が本体部１６側へ押圧操作されると、本体部１６の先端部から出没する電熱ヒータ２０にバイメタルが係合するようになっている。このバイメタルは、ソケットケース１４の基端部に設けられた端子２４を介して車両に設けられたバッテリーに接続されており、電熱ヒータ２０と係合することで電熱ヒータ２０を通電状態に切り替えて発熱させるようになっている。
【００２４】
そして、電熱ヒータ２０の昇温に伴いバイメタルが変形することで、電熱ヒータ２０とバイメタルとの係合状態が解除され、グリップ部２２が図示しないスプリングの付勢力により本体部１６と反対側へ突出する構成となっている。
【００２５】
ここで、本第１の実施の形態に係る車両用シガーライタ１０では、ライタ本体１２の本体部１６の表面、グリップ部２２の表面、及びソケットケース１４の表面には、消臭塗料（例えば、備長炭塗料）によるコーディングが施されている（消臭塗料が塗布されている）。なお、消臭塗料としては、電熱ヒータ２０が発する熱により消臭効果が上がるものが好ましい。
【００２６】
また、収容部１８の内面と電熱ヒータ２０との間には、消臭材料（例えば、備長炭などの炭）によりリング状に形成された消臭部材としての消臭リング２６が取り付けられている。なお、消臭材料としては、電熱ヒータ２０が発する熱により消臭効果が上がるものが好ましい（例えば、消臭液を含浸させた樹脂等）。
【００２７】
次に、本第１の実施の形態の作用について説明する。
【００２８】
上記構成の車両用シガーライタ１０では、ライタ本体１２がソケットケース１４に保持された状態で、グリップ部２２が本体部１６側へ押圧操作されると、電熱ヒータ２０が通電状態に切り替えられて発熱する。そして、電熱ヒータ２０の発熱に伴って図示しないバイメタルが変形すると、グリップ部２２が本体部１６とは反対側へ突出する。これにより、ライタ本体１２をソケットケース１４から抜き取って使用することができる。
【００２９】
ここで、本第１の実施の形態に係る車両用シガーライタ１０では、ライタ本体１２の本体部１６の表面、グリップ部２２の表面、及びソケットケース１４の表面には、消臭塗料によるコーディングが施されている。これにより、車室内を消臭することができ、車室内の臭い（特に、本車両用シガーライタ１０を発生源とするタバコの臭い）を軽減できる。しかも、消臭塗料によりコーティングを施す構成であるため、ライタ本体１２及びソケットケース１４の形状に影響されず製造が容易である。
【００３０】
また、収容部１８の内面と電熱ヒータ２０との間には、消臭リング２６が取り付けられている。これにより、車室内を消臭できると共に、例えば、電熱ヒータ２０にタバコのカスが付着した場合でも、当該カスが発生するタバコの臭いをダイレクトに消臭することができる。しかも、別体の消臭リング２６を取り付ける構成であるため、適用の範囲が広く汎用性がある。
【００３１】
以上説明した如く、本発明の第１の実施の形態に係る車両用シガーライタ１０では、車室内の臭い（特に、タバコの臭い）を軽減できる。
【００３２】
なお、上記実施の形態に係る車両用シガーライタ１０では、ライタ本体１２の本体部１６表面及びソケットケース１４の表面に消臭塗料によるコーティングを施す構成としたが、これに限らず、本体部１６及びソケットケース１４自体を消臭材料により形成する構成としてもよい。
【００３３】
また、上記実施の形態に係る車両用シガーライタ１０では、ライタ本体１２のグリップ部２２の表面に消臭塗料によるコーティングを施す構成としたが、これに限らず、消臭材料を含んだ樹脂材料によりグリップ部２２を形成する構成としてもよい。
【００３４】
さらに、上記実施の形態に係る車両用シガーライタ１０では、本体部１６の収容部１８内面と電熱ヒータ２０との間に消臭材料により形成された消臭リング２６を取り付けた構成としたが、これに限らず、収容部の内面に消臭塗料によるコーティングを施す構成としてもよい。
【００３５】
次に、本発明の他の実施の形態について説明する。なお、前記第１の実施の形態と基本的に同様の構成・作用については、前記第１の実施の形態と同符号を付与し、その説明を省略する。
＜第２の実施の形態＞
図４（Ａ）には、本発明の第２の実施の形態に係る車両用シガーライタ３０の構成部材であるライタ本体３２の構成が上端面図にて示されている。また、図４（Ｂ）には、このライタ本体３２の構成が平面図にて示されている。
【００３６】
車両用シガーライタ３０は、前記第１の実施の形態に係る車両用シガーライタ１０と基本的に同様の構成とされており、ライタ本体３２及び該ライタ本体３２を挿脱可能に保持するソケットケース１４（図４（Ａ）及び図４（Ｂ）では図示省略）を備えている。
【００３７】
本第２の実施の形態に係るライタ本体３２は、前記第１の実施の形態に係るライタ本体１２と基本的に同様の構成とされているが、グリップ部３４の表面には消臭塗料によるコーティングが施されておらず、代わりに消臭材料を含む樹脂材料などにより有底円筒状に形成された消臭カバー３６が取り付けられている。この消臭カバー３６は、グリップ部３４の大径部に本体部１６とは反対側から取り付けられた構成とされており、グリップ部３４の大径部を被覆している。
【００３８】
上記構成の車両用シガーライタ３０においても、前記第１の実施の形態に係る車両用シガーライタ１０と基本的に同様の作用効果を奏する。しかも、グリップ部３４の大径部に別体の消臭カバー３６を取り付ける構成であるため、適用の範囲が広く汎用性がある。
【００３９】
なお、上記消臭カバー３６の代わりに、図５に示すような消臭カバー４０を適用する構成としてもよい。消臭カバー４０は、消臭材料を含む樹脂材料などにより円筒状に形成されたものであり、グリップ部３４の小径部に取り付けられている。すなわち、消臭カバー４０には、図６（Ａ）及び図６（Ｂ）に示すように、周方向に沿った一部に切り込み４２が形成されており（断面Ｃ字状に形成されており）、切り込み４２を開くことでグリップ部３４の小径部に取り付けられるようになっている。また、消臭カバー４０の内周部には周り止め用の突起４４が形成されており、この突起４４がグリップ部３４の小径部に形成された嵌合孔に嵌合することで、消臭カバー４０がグリップ部３４に位置決めされる構成となっている。
＜第３の実施の形態＞
図７には、本発明の第３の実施の形態に係る車両用シガーライタ５０の構成部材であるソケットケース５２の構成が平面図にて示されている。
【００４０】
車両用シガーライタ５０は、前記第１の実施の形態に係る車両用シガーライタ１０と基本的に同様の構成とされており、ライタ本体１２（図７では図示省略）及び該ライタ本体１２を挿脱可能に保持するソケットケース５２を備えている。
【００４１】
本第３の実施の形態に係るソケットケース５２は、前記第１の実施の形態に係るソケットケース１４と基本的に同様の構成とされているが、ソケットケース１４の表面には消臭塗料によるコーティングが施されておらず、代わりに消臭材料により円筒状に形成された消臭カバー５４が取り付けられている。このソケットケース５２は、前述した消臭カバー４０と同様に図示しない切り込みを備えており（断面Ｃ字状に形成されており）、この切り込みを開いた状態でソケットケース５２の軸線方向一端側（図７では下側）から挿入することで、ソケットケース５２に取り付けられるようになっている。また、消臭カバー５４の内周部には周り止め用の突起５６が形成されており、この突起５６がソケットケース５２の外周部に形成された嵌合孔に嵌合することで、消臭カバー５４がソケットケース５２に対して位置決めされる構成となっている。
【００４２】
上記構成の車両用シガーライタ５０においても、前記第１の実施の形態に係る車両用シガーライタ１０と基本的に同様の作用効果を奏する。しかも、ソケットケース５２に別体の消臭カバー５４を取り付ける構成であるため、適用の範囲が広く汎用性がある。
【図面の簡単な説明】
【００４３】
【図１】本発明の第１の実施の形態に係る車両用シガーライタの構成を示す斜視図である。
【図２】本発明の第１の実施の形態に係る車両用シガーライタのライタ本体の構成を示し、（Ａ）は上端面図であり、（Ｂ）は平面図であり、（Ｃ）は下端面図である。
【図３】本発明の第１の実施の形態に係る車両用シガーライタのソケットケースの構成を示す平面図である。
【図４】本発明の第２の実施の形態に係る車両用シガーライタのライタ本体の構成を示し、（Ａ）は上端面図であり、（Ｂ）は平面図である。
【図５】本発明の第２の実施の形態の変形例に係る車両用シガーライタのライタ本体の部分的な構成を示す平面図である。
【図６】本発明の第２の実施の形態に係る車両用シガーライタの消臭部材の構成を示し、（Ａ）は自然状態における上端面図であり、（Ｂ）は切り込みを開いた状態を示す上端面図である。
【図７】本発明の第３の実施の形態に係る車両用シガーライタのソケットケースの構成を示す平面図である。
【符号の説明】
【００４４】
１０          車両用シガーライタ
１２          ライタ本体
１４          ソケットケース
１６          本体部
１８          収容部（電熱ヒータ収容部）
２０          電熱ヒータ
２２          グリップ部
２４          消臭リング（消臭部材）
３０          車両用シガーライタ
３２          ライタ本体
３４          グリップ部
３６          消臭カバー（消臭部材）
４０          消臭カバー（消臭部材）
５０          車両用シガーライタ
５２          ソケットケース
５４          消臭カバー
【図１】
2006349245.tif 000003
【図２】
2006349245.tif 000004
【図３】
2006349245.tif 000005
【図４】
2006349245.tif 000006
【図５】
2006349245.tif 000007
【図６】
2006349245.tif 000008
【図７】
2006349245.tif 000009